(57)【要約】  本発明は、純粋に中空部を用いた、高効率で有機的な、安定した高性能コンクリート版構造及び中空部構造並びに配筋構造に関し、該版構造内にユニットが設けられ、ユニットの外部殻体内に傾斜スペーサが設けられ、外部殻体の両端がシールされ、外部殻体両側のパネルと、対応する傾斜スペーサ及び両端のシール端と、により周囲がシールされている中空部が形成され、各中空部が列を成すように千鳥状に設置され、外部殻体及び傾斜スペーサ内に配筋構造が設けられる。本発明は構造を建築物の省エネルギー性能、環境保全性能と高度に一体化し、該版構造は従来の壁体構造における耐荷重性の要求を満たす。構造をより安全にし、耐震性や防災性に優れ、構造自体で安全、エネルギー節約、環境保全を完全に実現し、該壁体構造は外張り、内張り、及び中間の埋め込み断熱防火材等の部材を必要とせず、建築物の様々な版構造として用いることができ、適用範囲が非常に広い。【選択図】図１
2021503574.tif 000002
【特許請求の範囲】
【請求項１】
内部にコンクリート版構造ユニットが設けられた、コンクリート版構造であって、
前記コンクリート版構造ユニットは外部コンクリート殻体（１）、シール端、配筋構造（５）および傾斜コンクリートスペーサ（６）を含み、前記外部コンクリート殻体（１）内に列を成す傾斜コンクリートスペーサ（６）が設けられ、隣接する二つの傾斜コンクリートスペーサ（６）が対称に設置され、前記外部コンクリート殻体（１）の両端がシールされ、前記外部コンクリート殻体（１）の両側のパネルと、対応する傾斜コンクリートスペーサ（６）および両端のシール端と、により周囲がシールされている中空部（２）が形成され、前記中空部（２）が二等辺または直角三角柱形中空部であり、各中空部（２）が列を成すように千鳥状に設置され、前記外部コンクリート殻体（１）および傾斜コンクリートスペーサ（６）内に配筋構造（５）が設けられ、前記配筋構造（５）は水平鉄筋（５１）、鉛直鉄筋（５２）および水平交差連結筋（５３）を含み、前記外部コンクリート殻体（１）の両側のパネル内に鉛直鉄筋（５２）が列を成すように垂直に設けられ、各鉛直鉄筋（５２）が二等辺または直角三角柱形中空部の側辺の端部に設置され、前記外部コンクリート殻体（１）の両側のパネル内に列を成す水平鉄筋（５１）が横方向にペアで設けられ、各水平鉄筋（５１）が鉛直鉄筋（５２）を有する対応の内側または片側に設置され、各水平鉄筋（５１）がそれぞれ一つの水平交差連結筋（５３）に対応し、前記水平交差連結筋（５３）は折り曲げ線型連結筋であり、前記水平交差連結筋（５３）は対応する平面の水平鉄筋（５１）と鉛直鉄筋（５２）の節点を通過するようにそれらを接続することを特徴とする、純粋に中空部を用いた高効率かつ有機的な安定した高性能コンクリート版構造。
【請求項２】
前記コンクリート版構造は内外壁版構造または床版構造または屋根版構造であることを特徴とする、請求項１に記載の純粋に中空部を用いた高効率かつ有機的な安定した高性能コンクリート版構造。
【請求項３】
前記中空部（２）は直角二等辺三角柱形中空部であることを特徴とする、請求項１に記載の純粋に中空部を用いた高効率かつ有機的な安定した高性能コンクリート版構造。
【請求項４】
前記コンクリート版構造はＮ個のコンクリート版構造ユニットを左右に連結して構成され、ここでＮは正整数であることを特徴とする、請求項１に記載の純粋に中空部を用いた高効率かつ有機的な安定した高性能コンクリート版構造。
【請求項５】
前記コンクリート版構造はＭ個のコンクリート版構造ユニットを上下に連結して構成され、ここでＭは正整数であることを特徴とする、請求項１に記載の純粋に中空部を用いた高効率かつ有機的な安定した高性能コンクリート版構造。
【請求項６】
前記中空部（２）上端のシール端は第一のシール端（３）であり、前記中空部（２）下端のシール端は第二のシール端（４）であり、前記第一のシール端（３）は凸角錐部であり、前記第二のシール端（４）は凹角錐部であり、上下に連結されるコンクリート構造同士は凸角錐部と対応する凹角錐部との噛合によって連結されることを特徴とする、請求項５に記載の純粋に中空部を用いた高効率かつ有機的な安定した高性能コンクリート版構造。
【請求項７】
外部コンクリート殻体（１）、シール端および傾斜コンクリートスペーサ（６）を含む、中空部構造であって、
前記外部コンクリート殻体（１）内に列を成す傾斜コンクリートスペーサ（６）が設けられ、隣接する二つの傾斜コンクリートスペーサ（６）が対称に設置され、前記外部コンクリート殻体（１）の両端がシールされ、前記外部コンクリート殻体（１）の両側のパネルと、対応する傾斜コンクリートスペーサ（６）および両端のシール端と、により周囲がシールされている中空部（２）が形成され、前記中空部（２）が二等辺または直角三角柱形中空部であり、各中空部（２）が列を成すように千鳥状に設置されることを特徴とする、純粋に中空部を用いた高効率かつ有機的な安定した高性能コンクリート版構造用の中空部構造。
【請求項８】
前記中空部（２）は直角二等辺三角柱形中空部であることを特徴とする、請求項７に記載の純粋に中空部を用いた高効率かつ有機的な安定した高性能コンクリート版構造用の中空部構造。
【請求項９】
純粋に中空部を用いた高効率かつ有機的な安定した高性能コンクリート版構造の外部コンクリート殻体（１）および傾斜コンクリートスペーサ（６）内に設置される、配筋構造であって、
前記配筋構造（５）は水平鉄筋（５１）、鉛直鉄筋（５２）および水平交差連結筋（５３）を含み、前記外部コンクリート殻体（１）の両側のパネル内に鉛直鉄筋（５２）が列を成すように垂直に設けられ、各鉛直鉄筋（５２）が二等辺または直角三角柱形中空部の側辺の端部に設置され、前記外部コンクリート殻体（１）の両側のパネル内に列を成す水平鉄筋（５１）が横方向にペアで設けられ、各水平鉄筋（５１）が鉛直鉄筋（５２）を有する対応の内側または片側に設置され、各水平鉄筋（５１）がそれぞれ一つの水平交差連結筋（５３）に対応し、前記水平交差連結筋（５３）は折り曲げ線型連結筋であり、前記水平交差連結筋（５３）は対応する平面の水平鉄筋（５１）と鉛直鉄筋（５２）の節点を通過するようにそれらを接続することを特徴とする、純粋に中空部を用いた高効率かつ有機的な安定した高性能コンクリート版構造用の配筋構造。
【発明の詳細な説明】
【技術分野】
【０００１】
本発明は鉄筋コンクリート建築構造の、安全性能、エネルギー節約性能、環境保全性能を一体化した建築工事技術分野に関し、特に、純粋に中空部を用いた、高効率かつ有機的な、安定した高性能コンクリート版構造および中空部構造ならびに配筋構造に関する。
【背景技術】
【０００２】
最近、政府により、建築工事が依然として我が国の経済建設分野における支柱産業であると、再び明確に指摘された。建築工事は、省エネルギーで環境に優しいものでなければならず、国家の戦略的に必要とするものである。供給側、経済、社会、産業発展、技術進化の要求と、自然、環境保全、エコロジー、文明の要求と、エネルギー節約、排出低減の要求と、安全や民生の要求と、に応じて国務院は最近、建築業界に対して、省エネルギーで環境に優しくなるように、従来のパターンを変革して産業をアップグレードし、品質を向上させて効率を増加させ、組立型建築に注力し、建築の工業化や現代化を促進するように求めている。
【０００３】
鉄筋コンクリート構造とは、鉄筋を配筋して補強したコンクリート製構造をいい、建築の主な構成構造の一つであり、従来の建築構造は８０％が鉄筋コンクリート構造で打ち立てられ、その主な荷重部材は鉄筋コンクリートで製造され、そのうち、鉄筋は主に引張力を受け、コンクリートは主に圧力を受ける。それは堅牢で、耐久性が高く、防火性が高く、従来の構造に比べて鋼材が省けコストが低いなどの利点を有する。
【０００４】
建築工事における版材構造は、使用範囲が広くて使用量が多く、その製品が様々あり、関連する科学技術の研究や発展が速い。現在、主に組積版構造（レンガの壁）、コンクリート版構造があり、中でも、多数が中実（固体）である現場打ち版構造、中空（円孔）の長尺状版を有するプレキャストコンクリート壁、中実の外張り断熱プレキャスト壁体、中間または表面に断熱版（ポリスチレン版、断熱セラミック版など）が埋め込まれたまたは貼り付けられたプレキャストコンクリート版構造がある。
【０００５】
これらの壁版構造は、全体的に、施工期間が長く（現場打ちなど）、施工プロセスが複雑で（表面貼り付け、埋め込み）、コストが高く、エネルギー節約機能が低く（温度不調、亀裂、漏れ）環境保全機能が低く（光害、騒音公害など）、耐久性が低いなど、様々な欠点および弊害があり、実用においても実用性が低いということがあり、そこで、その構造の改良を突破的に進め、従来構造の代替として、純粋に中空部を用いた高効率かつ有機的な安定した高性能コンクリート版構造および中空部構造ならびに配筋構造を革新的に設計する必要がある。
【発明の概要】
【０００６】
上記問題を解決するために、本発明は、純粋に中空部を用いた高効率かつ有機的な安定した高性能コンクリート版構造および中空部構造ならびに配筋構造を提供し、構造を建築物のエネルギー節約性能、環境保全性能と高度に一体化し、該版構造は従来の壁体構造における耐荷重性の要求を満たすのみならず、構造をより安全にして、その耐震性や防災性を向上させようともしており、つまり、構造をより安全に、構造自体で完全にエネルギー節約、環境保全を実現しようともしており、該壁体構造は外張り、内張り、および中間の埋め込み断熱防火材などの部材を必要とせず、内外壁体、床版、屋根版などのような建築物の様々なコンクリート版構造として用いることができ、その製品の適用範囲が非常に広く、そしてその目的を達成するために、本発明は、その内部にコンクリート版構造ユニットが設けられた、純粋に中空部を用いた高効率かつ有機的な安定した高性能コンクリート版構造であって、前記コンクリート版構造ユニットは外部コンクリート殻体、シール端、配筋構造および傾斜コンクリートスペーサを含み、前記外部コンクリート殻体内に列を成す傾斜コンクリートスペーサが設けられ、隣接する二つの傾斜コンクリートスペーサが対称に設置され、前記外部コンクリート殻体の両端がシールされ、前記外部コンクリート殻体の両側のパネルと、対応する傾斜コンクリートスペーサおよび両端のシール端と、により周囲がシールされている中空部が形成され、前記中空部が二等辺または直角三角柱形中空部であり、各中空部が列を成すように千鳥状に設置され、前記外部コンクリート殻体および傾斜コンクリートスペーサ内に配筋構造が設けられ、前記配筋構造は水平鉄筋、鉛直鉄筋および水平交差連結筋を含み、前記外部コンクリート殻体の両側のパネル内に鉛直鉄筋が列を成すように垂直に設けられ、各鉛直鉄筋が二等辺または直角三角柱形中空部の側辺の端部に設置され、前記外部コンクリート殻体の両側のパネル内に列を成す水平鉄筋が横方向にペアで設けられ、各水平鉄筋が鉛直鉄筋を有する対応の内側または片側に設置され、各水平鉄筋がそれぞれ一つの水平交差連結筋に対応し、前記水平交差連結筋は折り曲げ線型連結筋であり、前記水平交差連結筋は対応する平面の水平鉄筋と鉛直鉄筋の節点を通過するようにそれらを接続する、コンクリート版構造を提供する。
【０００７】
本発明のコンクリート版構造のさらなる改良によれば、前記コンクリート版構造は内外壁版構造または床版構造または屋根版構造であり、本発明のコンクリート版構造はそのいずれにも適用可能であるため、壁版構造としてもよく床版構造としてもよい。
【０００８】
本発明のコンクリート版構造のさらなる改良によれば、前記中空部は直角二等辺三角柱形中空部であり、本発明の中空部構造は断面が直角二等辺三角形である場合に支持や安定化効果が最も高い。
【０００９】
本発明のコンクリート版構造のさらなる改良によれば、前記コンクリート版構造はＮ個のコンクリート版構造ユニットを左右に連結して構成され、ここでＮは正整数であり、前記コンクリート版構造はＭ個のコンクリート版構造ユニットを上下に連結して構成され、ここでＭは正整数であり、本発明の構造は制限されるところが少なく、実際の状況に応じて複数のコンクリート版構造ユニットを用いて連結するように構成してもよい。
【００１０】
本発明のコンクリート版構造のさらなる改良によれば、前記中空部上端のシール端は第一のシール端であり、前記中空部下端のシール端は第二のシール端であり、前記第一のシール端は凸角錐部であり、前記第二のシール端は凹角錐部であり、上下に連結されるコンクリート構造同士は凸角錐部と対応する凹角錐部との噛合によって連結され、本発明の上下に隣接するコンクリート構造同士は凹凸角錐の方式で連結され、上端は凸角錐部が採用され、こうして水が侵入できなくなる。
【００１１】
本発明は、外部コンクリート殻体、シール端および傾斜コンクリートスペーサを含む、純粋に中空部を用いた高効率かつ有機的な安定した高性能コンクリート版構造用の中空部構造であって、前記外部コンクリート殻体内に列を成す傾斜コンクリートスペーサが設けられ、隣接する二つの傾斜コンクリートスペーサが対称に設置され、前記外部コンクリート殻体の両端がシールされ、前記外部コンクリート殻体の両側のパネルと、対応する傾斜コンクリートスペーサおよび両端のシール端と、により周囲がシールされている中空部が形成され、前記中空部が二等辺または直角三角柱形中空部であり、各中空部が列を成すように千鳥状に設置される、中空部構造を提供する。
【００１２】
本発明のコンクリート版構造用の中空部構造のさらなる改良によれば、前記中空部は直角二等辺三角柱形中空部であり、本発明の中空部構造は断面が直角二等辺三角形である場合に支持効果が最も高い。
【００１３】
本発明は、純粋に中空部を用いた高効率かつ有機的な安定した高性能コンクリート版構造の外部コンクリート殻体および傾斜コンクリートスペーサ内に設置される、純粋に中空部を用いた高効率かつ有機的な安定した高性能コンクリート版構造用の配筋構造であって、前記配筋構造は水平鉄筋、鉛直鉄筋および水平交差連結筋を含み、前記外部コンクリート殻体の両側のパネル内に鉛直鉄筋が列を成すように垂直に設けられ、各鉛直鉄筋が二等辺または直角三角柱形中空部の側辺の端部に設置され、前記外部コンクリート殻体の両側のパネル内に列を成す水平鉄筋が横方向にペアで設けられ、各水平鉄筋が鉛直鉄筋を有する対応の内側または片側に設置され、各水平鉄筋がそれぞれ一つの水平交差連結筋に対応し、前記水平交差連結筋は折り曲げ線型連結筋であり、前記水平交差連結筋は対応する平面の水平鉄筋と鉛直鉄筋の節点を通過するようにそれらを接続する、配筋構造を提供する。
【００１４】
本発明の純粋に中空部を用いた高効率かつ有機的な安定した高性能コンクリート版構造および中空部構造ならびに配筋構造によれば、本発明の版構造内に中空部が設けられ、中空部の前後端がシールされて周囲がシールされている三角柱形中空部を形成し、各中空部が列を成すように千鳥状に設置され、中空部の横方向断面は直角二等辺三角形であり、配筋は二層二方向鉄筋マットであり、安定した三次元配筋が採用され、それは主に鉄筋コンクリートで製造され、またエンジニアリングプラスチック、樹脂、合金などの様々な材料で製造されてもよく、そのコンクリートは一般的なコンクリートを用いてもよく、またはセラミックコンクリートなどの支承コンクリートを用いてもよく、または水不透過性コンクリート、防火コンクリートなどの特殊コンクリートを用いてもよい。配合比率は具体的な機能に応じて合理的に最適化設計してよく、そのうち、コンクリートの重要な部分は層別打設によって製造され、本発明は以下の利点を有する。
１、本発明は中空部構造を採用するため、構造全体が軽量で３０−５０％のコンクリートを節約でき、多くの材料が節約される。
２、本発明の中空部構造は全体が中空の薄壁三角筒であり、内部が中空部であり、構造全体が安定する。
３、本発明の鉄筋は建築用鉄筋を用いてよく、配筋は、従来の方法および一般的な方法に従って、仕様の規定に沿って設計すればよい。
４、本発明の配筋は二層二方向鉄筋マットであり、安定した三次元配筋が採用され、かつ水平三角形に設置され、連続的に交互に千鳥状に設置され、規則正しく設置され、内外二層のマットの各節点が、高効率かつ有機的で、堅牢な安定した壁体として接続され、全体的な強度を向上させるには、各壁体に鉄筋マット用のセンタリングコーンをセットで装着してもよい。
５、本発明の構造全体は合理的で、精巧で、高効率で、一見は単列孔であるが、実際に二層の中空部が設置され、より高いエネルギー節約および環境保全効果を奏することができる。
６、本発明の中空部の両側のシール端は外側に自社製の凹凸角錐構造が用いられ、このように構造のせん断耐震性能が高くなり、水の侵入も防止できる。
７、本発明は性能が非常に高く、適用範囲が極めて広く、床版および壁版などのコンクリート版構造にはいずれも対応可能である。
【図面の簡単な説明】
【００１５】
【図１】本発明の外部コンクリート構造の模式図である。
【図２】本発明の両端がシールされている構造の側面図である。
【図３】本発明の放熱方式の模式図である。
【発明を実施するための形態】
【００１６】
以下に図面と具体的な実施形態を関連付けて本発明をさらに詳細に説明する。
【００１７】
本発明は、純粋に中空部を用いた高効率かつ有機的な安定した高性能コンクリート版構造および中空部構造ならびに配筋構造を提供し、構造を建築物のエネルギー節約性能、環境保全性能と高度に一体化し、該版構造は従来の壁体構造における耐荷重性の要求を満たすのみならず、構造をより安全にし、その耐震性や防災性を向上させ、構造自体で安全、エネルギー節約、環境保全を完全に実現し、該壁体構造は外張り、内張り、および中間の埋め込み断熱防火材などの部材を必要とせず、内外壁体、床版、屋根版などのような建築物の様々なコンクリート版構造として用いることができ、その製品の適用範囲が非常に広い。
【００１８】
本発明のコンクリート版構造の一最も簡単な実施例として、本発明は、その内部にコンクリート版構造ユニットが設けられた、図１に示す純粋に中空部を用いた高効率かつ有機的な安定した高性能コンクリート版構造を提供し、前記コンクリート版構造ユニットは外部コンクリート殻体１、シール端、配筋構造５および傾斜コンクリートスペーサ６を含み、前記外部コンクリート殻体１内に列を成す傾斜コンクリートスペーサ６が設けられ、隣接する二つの傾斜コンクリートスペーサ６が対称に設置され、前記外部コンクリート殻体１の両端がシールされ、前記外部コンクリート殻体１の両側のパネルと、対応する傾斜コンクリートスペーサ６および両端のシール端と、により周囲がシールされている中空部２が形成され、前記中空部２が二等辺または直角三角柱形中空部であり、各中空部２が列を成すように千鳥状に設置され、前記外部コンクリート殻体１および傾斜コンクリートスペーサ６内に配筋構造５が設けられ、前記配筋構造５は水平鉄筋５１、鉛直鉄筋５２および水平交差連結筋５３を含み、前記外部コンクリート殻体１の両側のパネル内に鉛直鉄筋５２が列を成すように垂直に設けられ、各鉛直鉄筋５２が二等辺または直角三角柱形中空部の側辺の端部に設置され、前記外部コンクリート殻体１の両側のパネル内に列を成す水平鉄筋５１が横方向にペアで設けられ、各水平鉄筋５１が鉛直鉄筋５２を有する対応の内側または片側に設置され、各水平鉄筋５１がそれぞれ一つの水平交差連結筋５３に対応し、前記水平交差連結筋５３は折り曲げ線型連結筋であり、前記水平交差連結筋５３は対応する平面の水平鉄筋５１と鉛直鉄筋５２の節点を通過するようにそれらを接続する。
【００１９】
本発明のコンクリート版構造の一具体例として、本発明は、純粋に中空部を用いた高効率かつ有機的な安定した高性能コンクリート版構造を提供し、前記コンクリート版構造は内外壁版構造または床版構造または屋根版構造であり、本発明のコンクリート版構造はそのいずれにも適用可能であるため、壁版構造としてもよいし床版構造としてもよく、前記コンクリート版構造内にコンクリート版構造ユニットが設けられ、前記コンクリート版構造はＮ個のコンクリート版構造ユニットを左右に連結して構成され、ここでＮは正整数であり、前記コンクリート版構造はＭ個のコンクリート版構造ユニットを上下に連結して構成され、ここでＭは正整数であり、本発明の構造は制限されるところが少なく、実際の状況に応じて複数のコンクリート版構造ユニットを用いて連結するように構成してもよく、前記コンクリート版構造ユニットは外部コンクリート殻体１、シール端、配筋構造５および傾斜コンクリートスペーサ６を含み、前記外部コンクリート殻体１内に列を成す傾斜コンクリートスペーサ６が設けられ、隣接する二つの傾斜コンクリートスペーサ６が対称に設置され、前記外部コンクリート殻体１の両端がシールされ、前記中空部２の図２に示す上端のシール端は第一のシール端３であり、前記中空部２下端のシール端は第二のシール端４であり、前記第一のシール端３は凸角錐部であり、前記第二のシール端４は凹角錐部であり、上下に連結されるコンクリート構造同士は凸角錐部と対応する凹角錐部との噛合によって連結され、本発明の上下に隣接するコンクリート構造同士は凹凸角錐の方式で連結され、上端は凸角錐部が採用され、こうして水が侵入できなくなり、前記外部コンクリート殻体１の両側のパネルと、対応する傾斜コンクリートスペーサ６および両端のシール端と、により周囲がシールされている中空部２が形成され、前記中空部２が直角二等辺三角柱形中空部であり、本発明の中空部構造は断面が直角二等辺三角形である場合に支持効果が最も高く、各中空部２が列を成すように千鳥状に設置され、前記外部コンクリート殻体１および傾斜コンクリートスペーサ６内に配筋構造５が設けられ、前記配筋構造５は水平鉄筋５１、鉛直鉄筋５２および水平交差連結筋５３を含み、前記外部コンクリート殻体１の両側のパネル内に鉛直鉄筋５２が列を成すように垂直に設けられ、各鉛直鉄筋５２が二等辺または直角三角柱形中空部の側辺の端部に設置され、前記外部コンクリート殻体１の両側のパネル内に列を成す水平鉄筋５１が横方向にペアで設けられ、各水平鉄筋５１が鉛直鉄筋５２を有する対応の内側または片側に設置され、各水平鉄筋５１がそれぞれ一つの水平交差連結筋５３に対応し、前記水平交差連結筋５３は折り曲げ線型連結筋であり、前記水平交差連結筋５３は対応する平面の水平鉄筋５１と鉛直鉄筋５２の節点を通過するようにそれらを接続する。
【００２０】
本発明のコンクリート版構造用の中空部構造の一具体例として、前記コンクリート版構造用の中空部構造は外部コンクリート殻体１、シール端および傾斜コンクリートスペーサ６を含み、前記外部コンクリート殻体１内に列を成す傾斜コンクリートスペーサ６が設けられ、隣接する二つの傾斜コンクリートスペーサ６が対称に設置され、前記外部コンクリート殻体１の両端がシールされ、前記外部コンクリート殻体１の両側のパネルと、対応する傾斜コンクリートスペーサ６および両端のシール端と、により周囲がシールされている中空部２が形成され、前記中空部２が二等辺または直角三角柱形中空部であり、各中空部２が列を成すように千鳥状に設置される。
【００２１】
本発明のコンクリート版構造用の配筋構造の一具体例として、前記配筋構造５は純粋に中空部を用いた高効率かつ有機的な安定した高性能コンクリート版構造の外部コンクリート殻体１および傾斜コンクリートスペーサ６内に設置され、前記配筋構造５は水平鉄筋５１、鉛直鉄筋５２および水平交差連結筋５３を含み、前記外部コンクリート殻体１の両側のパネル内に鉛直鉄筋５２が列を成すように垂直に設けられ、各鉛直鉄筋５２が二等辺または直角三角柱形中空部の側辺の端部に設置され、前記外部コンクリート殻体１の両側のパネル内に列を成す水平鉄筋５１が横方向にペアで設けられ、各水平鉄筋５１が鉛直鉄筋５２を有する対応の内側に設置され、各水平鉄筋５１がそれぞれ一つの水平交差連結筋５３に対応し、前記水平交差連結筋５３は折り曲げ線型連結筋であり、前記水平交差連結筋５３は対応する平面の水平鉄筋５１と鉛直鉄筋５２の節点を通過するようにそれらを接続する。
【００２２】
本発明の放熱遮音のシナリオは図３に示されるとおりであり、版構造のＡ側エリアが外側であり、Ｄ側エリアが内側であり、音または温度がＡ側エリアからＤ側エリアに入り、その過程でまずＢ中空部エリア内に入り、Ｂ中空部エリアが二等辺三角形であるため、音または温度が入ってから排出できないので両側からＣ中空部エリアに入り、その後、Ｄ側エリアに入り、このように、単列孔のみあるが、実際に温度や音が二層の中空部を透過し、それにより騒音および温度が大幅に削減され、エネルギー節約、騒音低減および環境保全の効果が達成される。
【００２３】
以上は本発明の好適な実施例に過ぎず、本発明をなんら制限するものではなく、本発明の技術的思想に基づき、行われた修正または同等の変化は、全て本発明の保護範囲に属する。
【符号の説明】
【００２４】
１      外部コンクリート殻体
２      中空部
３      第一のシール端
４      第二のシール端
５      配筋構造
５１    水平鉄筋
５２    鉛直鉄筋
５３    水平交差連結筋
６      傾斜コンクリートスペーサ
【図１】
2021503574.tif 000003
【図２】
2021503574.tif 000004
【図３】
2021503574.tif 000005
【国際調査報告】
2021503574.tif 000006
2021503574.tif 000007
2021503574.tif 000008
2021503574.tif 000009
2021503574.tif 000010
2021503574.tif 000011